【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
流体バッグからの流体を、動物を収容する動物ケージ装置に送出する流体送出装置において、
流体送出弁組立体を有し、この流体送出弁組立体は、
穿刺部材、及び、貫通するように構成された流体チャネルを備えた上方部材と、
フランジ部材、及び、貫通するように構成されたベース流体チャネルを備えたベースと、を有し、
前記ベースは、前記上方部材に噛合い式に連結されるように構成され、
前記流体送出弁組立体は、動物ケージ装置への流体の供給を容易にするように流体バッグに連結できることを特徴とする流体送出装置。
【請求項２】
前記流体送出弁組立体は、更に、
前記ベース流体チャネル内に配置されたスプリング要素と、
前記ベース流体チャネル内の一部分に配置され、前記スプリング要素を貫いて延びる作動部分、及び、下面を備えた頂部分を有するステム部材と、を有し、
前記スプリング要素の一部分は、前記ステム部材に付勢力を付与するために前記下面に当接することを特徴とする請求項１に記載の流体送出装置。
【請求項３】
前記流体送出弁組立体は、更に、前記ベース流体チャネル内に配置され且つ流路孔及びシール部材底面を備えたシール部材を有し、
前記シール部材は、前記シール部材底面が前記ステム部材の頂面に当接するときに前記流路孔のシールを容易にするように設計され且つ寸法決めされることを特徴とする請求項２に記載の流体送出装置。
【請求項４】
前記シール部材底面は、それから延びる下方隆起部を有し、前記下方隆起部は、前記スプリング部材からの付勢力が前記流路孔をシールするように集中すること容易にするように設計され且つ寸法決めされることを特徴とする請求項３に記載の流体送出装置。
【請求項５】
前記ステム部材は、前記作動部分が動物によって押されたとき、流体の流れが容易に選択されるように設計され且つ寸法決めされることを特徴とする請求項２に記載の流体送出装置。
【請求項６】
前記ステム部材は、前記作動部分が動物によって押されたとき、流体の流れが容易に選択されるように設計され且つ寸法決めされることを特徴とする請求項４に記載の流体送出装置。
【請求項７】
前記フランジ部材は、前記ベースに対して実質的に垂直であることを特徴とする請求項１に記載の流体送出装置。
【請求項８】
前記ベースは、その上に形成された、流体バッグに対して前記上方部材を確実にシールするための漏れ防止部材を有することを特徴とする請求項１に記載の流体送出装置。
【請求項９】
更に、前記穿刺部材に形成された孔あけ用刃及び傾斜先端部を有し、前記孔あけ用刃は、実質的に傾斜し、それにより、前記穿刺部材が流体バッグを孔あけしてそれに入ることを可能にすると共に、流体が前記流体チャネルの中を流れることを可能にすることを特徴とする請求項１に記載の流体送出装置。
【請求項１０】
前記ベース流体チャネルの一部分は、前記スプリング部材が前記ベース流体チャネルを完全に通り抜けることを防止するようにテーパにされ、それにより、前記ベース流体チャネル内の前記スプリング部材の圧縮を容易にすることを特徴とする請求項２に記載の流体送出装置。
【請求項１１】
前記上方部材は、第１のグリップ部分を有し、前記ベースは、第２のグリップ部分を有し、第１のグリップ部分及び第２のグリップ部分は、前記上方部材と前記ベースとの摩擦嵌めによる連結を容易にするように設計され且つ寸法決めされることを特徴とする請求項１に記載の流体送出装置。
【請求項１２】
前記上方部材は、高圧消毒可能材料で形成されることを特徴とする請求項１に記載の流体送出装置。
【請求項１３】
前記上方部材は、金属材料で形成されることを特徴とする請求項１に記載の流体送出装置。
【請求項１４】
前記フランジ部材はほぼ円形であることを特徴とする請求項１に記載の流体送出装置。
【請求項１５】
更に、いったん流体バッグが孔あけされたら流体バッグ内の流体の漏れを防止するための手段を有することを特徴とする請求項１に記載の流体送出装置。
【請求項１６】
前記ベースは、更に、当接壁を有し、前記当接壁は、流体の流れが所定量を超えないように前記作動部分の移動を制限するように設計され且つ寸法決めされることを特徴とする請求項５に記載の流体送出装置。
【請求項１７】
前記ベースは、更に、延長部分を有し、前記延長部分は、前記作動部分に動物が不意にぶつかることを防止するように設計され且つ寸法決めされた長さを有することを特徴とする請求項５に記載の流体送出装置。
【請求項１８】
動物を収容する動物ケージ装置に流体を送出するための流体送出装置であって、
流体送出弁組立体を有し、この流体送出弁組立体は、穿刺部材、連結部材、及び、貫通するように構成された流体チャネルを備えた上方部材と、フランジ部材、及び、貫通するように構成されたベース流体チャネルを備えたベースと、を有し、前記ベースは、前記上方部材に噛合い式に連結されるように構成され、
更に、流体バッグを有し、
前記流体送出弁組立体は、動物ケージ装置への流体の供給を容易にするように流体バッグに連結できることを特徴とする流体送出装置。
【請求項１９】
前記流体送出弁組立体は、更に、
前記ベース流体チャネル内に配置されたスプリング要素と、
前記ベース流体チャネル内の一部分に配置され、前記スプリング要素を貫いて延びる作動部分、及び、下面を備えた頂部分を有するステム部材と、を有し、
前記スプリング要素の一部分は、前記ステム部材に付勢力を付与するために前記下面に当接することを特徴とする請求項１８に記載の流体送出装置。
【請求項２０】
前記流体送出弁組立体は、更に、前記ベース流体チャネル内に配置され且つ流路孔及びシール部材底面を備えたシール部材を有し、
前記シール部材は、前記シール部材底面が前記ステム部材の頂面に当接するときに前記流路孔のシールを容易にするように設計され且つ寸法決めされることを特徴とする請求項１９に記載の流体送出装置。
【請求項２１】
前記流体バッグは、可撓性ポリマー材料で形成された水バッグを含むことを特徴とする請求項１８に記載の流体送出装置。
【請求項２２】
流体バッグからの流体を動物に送出する流体送出装置であって、
複数のラック結合ステーションが配置された隔離式動物ケージラック装置と、
前記ラック結合ステーション内に選択的に挿入可能な、動物を収容するための少なくとも１つの動物ケージと、
流体送出弁組立体と、を有し、
前記流体送出弁組立体は、前記少なくとも１つの動物ケージ内の動物への流体の供給を容易にするように流体バッグに連結できることを特徴とする流体送出装置。
【請求項２３】
更に、流体バッグ受け及び餌受けを備えた餌供給装置を有し、前記流体バッグ受けは、その中に流体バッグを収容するように構成されることを特徴とする請求項２２に記載の流体送出装置。
【請求項２４】
流体を流体バッグから動物に送出する隔離式動物ケージ装置であって、
少なくとも１つの空気排出プレナムを備え換気型ラックと、
前記ケージ装置内に収容されたケージの換気を行なうために前記ラック内に配置された少なくとも１つのキャノピと、を有し、
前記換気型ラックは、少なくとも１つのケージの内部から少なくとも１つのケージの頂部を通して前記空気排出プレナム内に空気を引くことを可能にするために、少なくとも１つのケージと少なくとも１つのキャノピとの間にギャップを維持しながら、少なくとも１つのケージレベルバリヤケージを少なくとも１つのキャノピの下のラック内に支持することが可能であり、
更に、流体バッグを受入れることが可能な流体バッグ受けと、餌受けと、を備えた餌供給装置と、
流体バッグに連結されるように構成された流体送出弁組立体と、を有することを特徴とする隔離式動物ケージ装置。
【請求項２５】
弁組立体であって、
穿刺部材、及び、貫通するように構成された流体チャネルを備えた上方部材と、
フランジ部材、及び、貫通するように構成されたベース流体チャネルを備えたベースと、を有し、
前記ベースは、前記上方部材に噛合い式に連結されるように構成されていることを特徴とする弁組立体。
【請求項２６】
更に、前記ベース流体チャネル内に配置されたスプリング要素と、
前記ベース流体チャネル内の一部分に配置され、前記スプリング要素を貫いて延びる作動部分、及び、下面を備えた頂部分を有するステム部材と、を有し、
前記スプリング要素の一部分は、前記ステム部材に付勢力を付与するために前記下面に当接することを特徴とする請求項２５に記載の弁組立体。
【請求項２７】
更に、前記ベース流体チャネル内に配置され且つ流路孔及びシール部材底面を備えたシール部材を有し、
前記シール部材は、前記シール部材底面が前記ステム部材の頂面に当接するときに前記流路孔のシールを容易にするように設計され且つ寸法決めされることを特徴とする請求項２６に記載の弁組立体。
【請求項２８】
前記シール部材底面は、それから延びる下方隆起部を有し、前記下方隆起部は、前記スプリング部材からの付勢力が前記流路孔をシールするように集中すること容易にするように設計され且つ寸法決めされることを特徴とする請求項２７に記載の弁組立体。
【請求項２９】
前記ステム部材は、前記作動部分が動物によって押されたとき、流体の流れが容易に選択されるように設計され且つ寸法決めされることを特徴とする請求項２６に記載の弁組立体。
【請求項３０】
前記ステム部材は、前記作動部分が動物によって押されたとき、流体の流れが容易に選択されるように設計され且つ寸法決めされることを特徴とする請求項２８に記載の弁組立体。
【請求項３１】
前記フランジ部材は、前記ベースに対して実質的に垂直であることを特徴とする請求項２５に記載の弁組立体。
【請求項３２】
前記弁組立体は、流体バッグからの流体の供給を容易にするように前記流体バッグに連結されるように構成されることを特徴とする請求項２５に記載の弁組立体。
【請求項３３】
動物を収容する動物ケージ装置に流体を送出するための流体送出装置であって、
本体を有する流体送出弁組立体を有し、前記本体は、穿刺部材と、連結部材と、貫通するように構成された流体チャネルと、フランジ部材と、貫通するように構成されたベース流体チャネルと、を有し、
更に、前記ベース流体チャネル内に配置されたスプリング要素と、
前記ベース流体チャネル内の一部分に配置され、前記スプリング要素を貫いて延びる作動部分、及び、下面を備えた頂部分を有するステム部材と、を有し、
前記スプリング要素の一部分は、前記ステム部材に付勢力を付与するために前記下面に当接し、
更に、前記ベース流体チャネル内に且つ前記スプリング要素と反対側の前記ステム部材の頂部分の側面に配置され且つ流路孔及びシール部材底面を備えたシール部材を有し、
前記シール部材は、前記シール部材底面が前記ステム部材の頂面に当接するときに前記流路孔のシールを容易にするように設計され且つ寸法決めされ、
前記流体送出弁組立体は、動物ケージ装置への流体の供給を容易にするように流体バッグに連結されることを特徴とする流体送出装置。